(57)【要約】【課題】発光面の輝度むらやグレアを効果的に抑制しながら、広い発光面を確保できる照明装置を提供する。【解決手段】照明装置１０は、複数の光源１２と、複数の光源１２の内側に配置されて複数の光源１２の各々から出射された光を前方に反射させる第１反射面１４ｂを有する第１フレーム１４と、複数の光源１２の前方側を覆う庇部１７を有する第２フレーム１５と、を備えており、庇部１７の前方面１７ａ側に、前方面１７ａの少なくとも一部との間に間隔Ｄを置くようにして拡散部材１８が配置されている。【選択図】図１
2016062838.tif 000002
【特許請求の範囲】
【請求項１】
複数の光源と、前記複数の光源の内側に配置されて前記複数の光源の各々から出射された光を前方に反射させる第１反射面を有する第１フレームと、前記複数の光源の前方側を覆う庇部を有する第２フレームと、を備える照明装置であって、
前記庇部の前方面側に、前記前方面の少なくとも一部との間に間隔を置くようにして拡散部材が配置されていることを特徴とする照明装置。
【請求項２】
前記庇部の前方面が、前後方向に傾斜する傾斜部を有することを特徴とする請求項１に記載の照明装置。
【請求項３】
前記傾斜部が、前記庇部の内側よりも外側の方が前方に位置するように傾斜していることを特徴とする請求項２に記載の照明装置。
【請求項４】
前記傾斜部が、前記庇部の内側よりも外側の方が後方に位置するように傾斜していることを特徴とする請求項２に記載の照明装置。
【請求項５】
前記庇部の前方面の表面粗さと前記前方面の反対側の面の表面粗さとが互いに異なることを特徴とする請求項１から４のいずれか１項に記載の照明装置。
【請求項６】
前記庇部の内側に形成される開口に、配向制御部材が配置されていることを特徴とする請求項１から５のいずれか１項に記載の照明装置。
【請求項７】
前記複数の光源は、円環状に配置されていることを特徴とする請求項１から６のいずれか１項に記載の照明装置。
【請求項８】
前記複数の光源は、互いに平行に対向する２列に配置されていることを特徴とする請求項１から６のいずれか１項に記載の照明装置。
【請求項９】
光源と、前記光源の側方に配置されて前記光源から出射された光を前方に反射させる第１反射面を有する第１フレームと、前記光源の前方側を覆う庇部を有する第２フレームと、を備える照明装置であって、
前記庇部の前方面側に、前記前方面の少なくとも一部との間に間隔を置くようにして拡散部材が配置されていることを特徴とする照明装置。
【発明の詳細な説明】
【技術分野】
【０００１】
本発明は、照明装置に関し、特に、光源からの出射光を、固体の導光板を用いることなく導光しつつ面状の照明光を出射させる照明装置に関する。
【背景技術】
【０００２】
従来、光源からの出射光を、固体の導光板を用いることなく導光しつつ面状の照明光を出射させる、いわゆる中空サイドライト方式の照明装置が知られている。一般に、中空サイドライト方式の照明装置では、ＬＥＤ等の光源は、照明装置を被照明面側から見たときにフレームで覆われるように配置されており、照明装置の発光面から出射される照明光の多くは、光源から出射された光がフレーム内部の反射部材により反射された間接光からなるものである（例えば、特許文献１及び２参照）。
【０００３】
このような中空サイドライト方式の照明装置は、発光面を望む位置に光源を配置することにより、主として光源からの直接光を拡散板を介して出射するように構成された、いわゆる直下型方式の照明装置と比較して、照明装置を被照明面側から見たときの発光面の輝度むらやグレア（ギラつき感）を抑制できる点で優れている。
【先行技術文献】
【特許文献】
【０００４】
【特許文献１】特表２０１０−５２８４４４号公報
【特許文献２】特開２００５−２１４７９０号公報
【発明の概要】
【発明が解決しようとする課題】
【０００５】
しかしながら、従来の中空サイドライト方式の照明装置では、照明装置を被照明面側から見たときに、フレームの光源を覆う部分が非発光面（以下、額縁ともいう）となることから、照明装置の発光面側の所定の面積に対して、確保可能な実際の発光面が狭くなるという問題が生ずる。また、照明装置によっては、装飾性（意匠性）の観点から、額縁を狭くすることが求められる場合もある。
【０００６】
本発明は、上記課題に鑑み、発光面の輝度むらやグレアを効果的に抑制しながら、広い発光面を確保できる照明装置を提供することを目的とする。
【課題を解決するための手段】
【０００７】
以下の発明の態様は、本発明の構成を例示するものであり、本発明の多様な構成の理解を容易にするために、項分けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００８】
（１）複数の光源と、前記複数の光源の内側に配置されて前記複数の光源の各々から出射された光を前方に反射させる第１反射面を有する第１フレームと、前記複数の光源の前方側を覆う庇部を有する第２フレームと、を備える照明装置であって、前記庇部の前方面側に、前記前方面の少なくとも一部との間に間隔を置くようにして拡散部材が配置されていることを特徴とする照明装置（請求項１）。
【０００９】
本項に記載の照明装置によれば、複数の光源の各々から出射された光を前方に反射させる第１反射面が複数の光源の内側に配置されており、かつ、庇部が複数の光源の前方側を覆うように構成されているため、光源から前方に向けて出射された光が照明装置から直接出射することはなく、また、光源から出射された光の多くは、第１反射面で反射されて照明装置から出射されるため、照明装置を被照明面側からみたときの発光面の輝度むらやグレアを効果的に抑制することが可能となる。
【００１０】
加えて、本項に記載の照明装置では、庇部の前方面側に、その前方面の少なくとも一部との間に間隔を置くようにして拡散部材が配置されていることにより、複数の光源からの出射光のうちの一部が、上記間隔によって形成される空間を通過して、拡散部材の庇部の前方面と対向する部分（以下、庇対向部という）に入射する。そして、拡散部材の庇対向部に入射した光は、そこで散乱され、一部の光が拡散部材から外部に出射されるとともに、一部の光が後方に戻されて庇部の前方面に入射する。庇部の前方面に入射した光は、そこで反射(正反射または拡散反射)され、その少なくとも一部は、再度庇対向部に入射する。この再入射光は、庇対向部で散乱されて上述した過程が繰り返される。本項に記載の照明装置では、このような過程の繰り返しにより、庇部の前方面が、実質的に、そこから光が前方に出射する出射面として機能することになり、ひいては、拡散部材の庇対向部が発光面として機能することになる。これにより、庇部の内側に形成される開口に相当する発光面に、このような庇対向部からなる発光面が追加され、照明装置の発光面全体が構成されるものである。
【００１１】
これによって、本項に記載の照明装置では、照明装置の前方面（庇部の前方面を含む照明装置全体の前方面）に対して広い発光面を確保するか、または、前方面全体を発光面とすることが可能となり、それに応じて、額縁の狭い、または額縁のない、装飾性に優れた照明装置を提供することが可能となる。
【００１２】
（２）（１）項に記載の照明装置において、前記庇部の前方面が、前後方向に傾斜する傾斜部を有することを特徴とする照明装置（請求項２）。
【００１３】
本項に記載の照明装置によれば、拡散部材の庇対向部の明るさを向上させることが可能となる。
【００１４】
（３）（２）項に記載の照明装置において、前記傾斜部が、前記庇部の内側よりも外側の方が前方に位置するように傾斜していることを特徴とする照明装置（請求項３）。
【００１５】
本項に記載の照明装置によれば、複数の光源から出射された光を、庇部の前方面と拡散部材との間隔によって形成される空間内に導き易くなるため、拡散部材の庇対向部の明るさを効果的に向上させることが可能となる。
【００１６】
（４）（２）項に記載の照明装置において、前記傾斜部が、前記庇部の内側よりも外側の方が後方に位置するように傾斜していることを特徴とする照明装置（請求項４）。
【００１７】
本項に記載の照明装置によれば、拡散部材の庇対向部の明るさを向上させることが可能となるとともに、照明装置の厚さ（前後方向の長さ）を小さくすることが可能となる。
【００１８】
（５）（１）から（４）のいずれか１項に記載の照明装置において、前記庇部の前方面の表面粗さと前記前方面の反対側の面の表面粗さとが互いに異なることを特徴とする照明装置（請求項５）。
【００１９】
本項に記載の照明装置によれば、庇部の前方面の表面粗さと、前方面の反対側の面の表面粗さとを適切に設定することによって、拡散部材の庇部対向部の明るさ、または明るさの均一性を調整することが可能となる。
本項に記載の照明装置において、好ましくは、前記庇部の前方面の表面粗さは、反対側の面の表面粗さよりも大きいものである。この構成によれば、拡散部材の庇対向部を明るくするか、または明るさの均一性を向上させることが可能となる。
【００２０】
（６）（１）から（５）のいずれか１項に記載の照明装置において、前記庇部の内側に形成される開口に、配向制御部材が配置されていることを特徴とする照明装置（請求項６）。
【００２１】
本項に記載の照明装置によれば、照明装置の発光面全体の明るさをより精密に調整することが可能となる。
【００２２】
（７）（１）から（６）のいずれか１項に記載の照明装置において、前記複数の光源は、円環状に配置されていることを特徴とする照明装置（請求項７）。
【００２３】
本項に記載に記載の照明装置によれば、円形状の発光面を備える照明装置を好適に構成することが可能となる。
【００２４】
（８）（１）から（６）のいずれか１項に記載の照明装置において、前記複数の光源は、互いに平行に対向する２列に配置されていることを特徴とする照明装置（請求項８）。
【００２５】
本項に記載の照明装置によれば、矩形状の発光面を備える照明装置を好適に構成することが可能となる。
【００２６】
（９）光源と、前記光源の側方に配置されて前記光源から出射された光を前方に反射させる第１反射面を有する第１フレームと、前記光源の前方側を覆う庇部を有する第２フレームと、を備える照明装置であって、前記庇部の前方面側に、前記前方面の少なくとも一部との間に間隔を置くようにして拡散部材が配置されていることを特徴とする照明装置（請求項９）。
【００２７】
本項に記載の照明装置によっても、前述の請求項１に係る発明と同様のメカニズムにより、照明装置を被照明面側からみたときの発光面の輝度むらやグレアを効果的に抑制することが可能になるとともに、額縁の狭い、または額縁のない、装飾性に優れた照明装置を提供することが可能となる。
【００２８】
また、本項に記載の照明装置によれば、特に、長尺矩形状の発光面を備える照明装置において、発光面の長手方向に沿う２辺のうちの一方側に光源を配置することにより、被照明面の全体を均一に照明する照明装置を構成することが可能となる。この構成を備える照明装置は、例えば、商品等の陳列棚の棚板の下面の手前側（または奥側）に取り付けることにより、一段下側の棚板上の全体を均一に照明する、いわゆる棚下照明装置として好適に適用されるものである。
【発明の効果】
【００２９】
本発明は、以上のように構成したため、発光面の輝度むらやグレアを効果的に抑制しながら、広い発光面を確保できる照明装置を提供することが可能となる。
【図面の簡単な説明】
【００３０】
【図１】本発明の第１実施形態における照明装置の要部を示す断面図である。
【図２】図１に示す照明装置の作用効果を示す断面図である。
【図３】本発明の第１実施形態における照明装置の別の例の要部を示す断面図である。
【図４】本発明の第１実施形態における照明装置の別の例の要部を示す断面図である。
【図５】本発明の第１実施形態における照明装置の別の例の要部を示す断面図である。
【図６】本発明の第１実施形態における照明装置の別の例の要部を示す断面図である。
【図７】本発明の第１実施形態における照明装置の別の例の要部を示す断面図である。
【図８】本発明の第１実施形態における照明装置の別の例の要部を示す断面図である。
【図９】本発明の第１実施形態における照明装置の別の例の要部を示す断面図である。
【図１０】本発明の第２実施形態における照明装置の要部を示す断面図である。
【発明を実施するための形態】
【００３１】
以下、本発明の実施の形態を添付図面に基づいて説明する。尚、照明装置を示す各図（図１〜図１０）は、いずれも、その要部のみを示す模式図である。したがって、本発明の各実施形態における照明装置は、図示が省略された他の構成要素を備えるものであってもよく、また、図示された各部分の相対的な寸法は、説明のために特徴を強調して示すものであって、必ずしも実際の縮尺を反映するものではない。
【００３２】
本発明の第１実施形態における照明装置１０は、中心軸Ｃを回転対称軸として平面視円形状に形成されており、図１は、照明装置１０を、中心軸Ｃを含む断面で示す断面図である。尚、図１では、本発明の原理を分かりやすく示すことを目的として、照明装置１０内部の構造の図示は適宜省略されている（図２〜図１０についても同様）。
照明装置１０は、複数の光源１２と、平面視円形状の第１フレーム１４と、第１フレーム１４の前方（図１上、中心軸Ｃの矢印方向）に配置される低背円筒状の第２フレーム１５と、第２フレーム１５の前方に配置される平面視円形状の拡散部材１８とを備えている。
【００３３】
第１フレーム１４は、前方を向く前方面１４ａ、１４ｂと、前方面１４ａ、１４ｂと対向する後方面１４ｅとを有している。後方面１４ｅは、中心軸Ｃに略直交する平坦面として構成されている。前方面１４ａ、１４ｂには、前方面１４ａ、１４ｂの外周部に設けられる、後方面１４ｅと略平行な円環状の平坦面１４ａと、平坦面１４ａの内側（中心軸Ｃ側）に第１フレーム１４と一体に設けられる第１反射面１４ｂとが含まれる。そして、図１に示す例では、複数の光源１２は、第１フレーム１４の平坦面１４ａに配置されており、これによって、第１反射面１４ｂが複数の光源１２の内側に配置される構成が実現される。
【００３４】
また、第１反射面１４ｂは、各光源１２から出射された光を所定の広がりを持たせながら前方に反射させるように構成されている。図１に示す例では、第１反射面１４ｂは、中心軸Ｃが通る中央部が前方に突出するように湾曲する曲面からなり、この曲面の、外周端（平坦面１４ａに連接する側）から中心軸Ｃにわたる断面形状は、後方に凸の放物線状に構成されている。ここで、第１反射面１４ｂは、光反射性とともに光拡散性を有するものであってもよい。
照明装置１０において、第１フレーム１４は、例えば、熱伝導性と光反射性に優れたアルミダイカストで形成される。
【００３５】
複数の光源１２は、それぞれの出射面１２ａを前方に向けて、第１フレーム１４の平坦面１４ａに円環状に配置されている。照明装置１０において、複数の光源１２のそれぞれは、例えば、白色ＬＥＤからなるものである。尚、複数の光源１２は、通常、実装基板（図示は省略する）に実装されており、平坦面１４ａには、その実装基板とともに配置される。これに代えて、例えば、実装基板を第１フレーム１４の後方面１４ｅ側に配置し、後方面１４ｅから平坦面１４ａに向かって貫通するように設けられた複数の穴（図示は省略する）に複数の光源１２をそれぞれ配置するようしてもよい。
【００３６】
第２フレーム１５は、複数の光源１２の前方側を覆うように設けられた庇部１７を有している。図１に示す例では、第２フレーム１５は、複数の光源１２を取り囲むように第１フレーム１４の平坦面１４ａの外周部に配置される円筒部１６を備えており、庇部１７は、円筒部１６の前方において内側に張り出すように設けられている。言い換えれば、複数の光源１２は、第１フレーム１４の平坦面１４ａと、第２フレーム１５の円筒部１６の内周面１６ｃと、庇部１７の後方面１７ｅとで構成される凹部内に収容されるように配置されており、これにより、庇部１７によって複数の光源１２の前方側を覆う構成が実現されている。また、第２フレーム１５の庇部１７の内側には、平面視円形状の開口部１１が形成されている。
【００３７】
また、第２フレーム１５において、複数の光源１２に対向する庇部１７の後方面１７ｅには、複数の光源１２から出射された光を第１反射面１４ｂに向かって反射させる第２反射面が形成されている（以下、第２反射面にも符号１７ｅを付す）。図１に示す例では、第２反射面１７ｅは、外側（言い換えれば、庇部１７の基端側）が後方に位置し、内側（言い換えれば、庇部１７の先端側）が前方に位置するように傾斜する傾斜面として構成されている。尚、この例では、第２反射面１７ｅは、傾斜角度が一定の傾斜面であるが、本発明において、第２反射面１７ｅは、このような構成に限定されるものではない。例えば、第２反射面１７ｅは、曲面であってもよい。
一方、庇部１７の後方面１７ｅとは反対側の前方面１７ａは、第１フレーム１４の後方面１４ｅと略平行な平坦面として構成されている。また、第２フレーム１５の外周面１５ｄには、後述する拡散部材１８を固定するための段部１３が形成されている。
照明装置１０において、第２フレーム１５は、例えば、白色樹脂で形成される。
【００３８】
拡散部材１８は、第２フレーム１５の庇部１７の前方面１７ａ側に、その前方面１７ａの少なくとも一部との間に間隔Ｄを置くように配置される。図１に示す例では、拡散部材１８は、円筒状の固定部１９と、固定部１９の前方端側に連結して設けられた覆い部２０とを備えており、固定部１９を任意の適切な方法により第２フレーム１５の段部１４に固定することによって、第２フレーム１５に結合される。覆い部２０は、拡散部材１８を第２フレーム１５に固定したとときに、開口部１１及び庇部１７の前方面１７ａを一体に覆うドーム状に構成されている。そして、拡散部材１８の覆い部２０が、第２フレーム１５の外周面１５ｄ側から内側に向かうに従って前方に膨らむドーム状に構成され、かつ、庇部１７の前方面１７ａが、中心軸Ｃに対して略直交する平坦面で構成されていることにより、覆い部２０のうち庇部１７の前方に配置される部分が、前方面１７ａとの間に間隔Ｄを置くように配置される構成が実現されている。
照明装置１０において、拡散部材１８は、例えば、拡散性を有する乳白色の材料から厚さが略一定に形成される。
【００３９】
以上のように構成された照明装置１０の作用効果について、図１とともに図２を参照して説明すれば、次の通りである。
まず、照明装置１０では、複数の光源１２から前方（特に、中心軸Ｃに略平行な方向）に出射された光は、複数の光源１２の前方側を覆うように設けられた庇部１７によってその進路が遮られるため、照明装置から直接（言い換えれば、照明装置内部での反射を経ることなく）外部に出射されることはない。そして、このように複数の光源１２から前方に出射された光の多くは、図２に進路ａとしてその典型的な進路を示すように、庇部１７の第２反射面１７eで反射されて、第１フレーム１４と第２フレーム１５とで形成される中空の導光領域内を内側に導光されつつ第１反射面１４ｂに向かい、第１反射面１４ｂで反射されることにより再び前方に進路が変換されて庇部１７の内側に形成された開口部１１を通過し、拡散部材１８の開口部１１に対向する部分（以下、開口対向部ともいう）２１から、外部に出射されることになる。これによって、拡散部材１８の開口対向部２１は、照明装置１０の、平面視円形状の発光面として機能する。
【００４０】
照明装置１０は、以上のようにして、中空サイドライト方式の照明装置としての基本的な機能を果たすものであり、これによって、照明装置１０を被照明面側からみたときの発光面の輝度むらやグレアを効果的に抑制することが可能となる。
そして、照明装置１０は、このような中空サイドライト方式の照明装置の利点を保持しつつ、拡散部材１８の開口対向部２１だけでなく、庇部１７の前方面１７ａと対向する部分（以下、庇対向部という）２２も発光面として機能させる点に主要な特徴を有するものであり、次に、この点について説明する。
【００４１】
照明装置１０では、庇部１７の前方面１７ａ側に、前方面１７ａとの間に間隔Ｄを置くようにして拡散部材１８が配置されているため、複数の光源１２からの出射光のうちの一部は、図２に進路ｂとしてその典型的な進路を示すように、間隔Ｄによって形成される空間を通過して、拡散部材１８の庇対向部２２に入射する。庇対向部２２に入射した光は、そこで散乱され、一部の光が庇対応部２２から外部に出射されるとともに、一部の光が後方に戻されて庇部１７の前方面１７ａに入射する。庇部１７の前方面１７ａに入射した光は、そこで反射（正反射または拡散反射）され、その少なくとも一部は、再度庇対向部２２に入射する。この再入射光は、庇対向部２２で散乱されて上述した過程が繰り返される。
【００４２】
照明装置１０では、このような過程の繰り返しにより、庇部１７の前方面１７ａが、実質的に、そこから光が前方に出射する出射面として機能することになり、ひいては、拡散部材１８の庇対向部２２も、平面視円環状の発光面として機能することになる。すなわち、照明装置１０の発光面は、拡散部材１８の開口対向部２１からなる平面視円形状の発光面と、その発光面の周囲に連接して配置される、拡散部材１８の庇対向部２２からなる平面視円環状の発光面とから、全体として平面視円形状に構成される。
【００４３】
これによって、照明装置１０では、照明装置の前方面の全体が拡散部材１８の開口対向部２１及び庇対向部２２からなる発光面で構成されるため、照明装置１０を被照明面側からみたときの発光面の輝度むらやグレアを効果的に抑制しながら、照明装置の前方面に対して広い（この場合、最大の）発光面を確保することが可能となるとともに、発光面の周囲に額縁がない、装飾性に優れた照明装置を提供することが可能となる。
【００４４】
ここで、照明装置１０において、第２フレーム１５の庇部１７の前方面１７ａの表面粗さと後方面１７ｅの表面粗さは、互いに異なるものであってもよい。庇部１７の前方面１７ａの表面粗さと、後方面１７ｅの表面粗さとを適切に設定することによって、前方面１７ａ及び後方面１７ｅのそれぞれにおける反射光の拡散性の度合いを調整し、これによって、拡散部材１８の庇部対向部２２の明るさ、または明るさの均一性を調整することが可能となる。
特に、庇部１７の前方面１７ａの表面粗さを、後方面（すなわち、第２反射面）１７ｅの表面粗さよりも大きくし、庇部１７の前方面１７ａにおける反射光の拡散性を増大させることにより、拡散部材１７の庇対向部１７ａを明るくするか、または明るさの均一性を向上させることが可能となる。
【００４５】
また、照明装置１０において、拡散部材１８の厚みは、必ずしも全体にわたって一定でなくともよく、例えば、覆い部２０のうち、開口対向部２１の厚さと庇対向部２２の厚さが異なる（例えば、庇対向部２２を開口対向部２１よりも厚くする）ものであってもよい。
【００４６】
また、照明装置１０において、複数の光源１２は、それぞれの配光分布の基準軸である光軸（典型的には、出射面１２ａに直交する軸）が、中心軸Cに略平行となるように配置されているものである。但し、照明装置１０において、複数の光源１２の光軸は、必ずしも中心軸Cに略平行でなくともよく、例えば、複数の光源１２は、それぞれの光軸が内側（中心軸Ｃ側）を向く（光軸が内側に傾く）ように配置されるものであってもよい。
【００４７】
次に、図３〜図９を参照して、本発明の第１実施形態における照明装置の種々の変形例について説明する。尚、以下では、各変形例について、図１及び図２を参照して上述した照明装置１０との共通の特徴についてはその説明を適宜省略し、主として照明装置１０との相違点について説明する。
【００４８】
図３に示す照明装置３０は、第２フレーム３５の庇部３７の前方面３７ａが、庇部３７の内側よりも外側の方が前方に位置するように、前後方向に傾斜する傾斜部を有している点で、照明装置１０と相違する。図示の例では、前方面３７ａの全体が、前後方向に傾斜する傾斜面として構成され、この傾斜面により上記傾斜部が構成されている。
【００４９】
照明装置３０では、庇部３７の前方面３７ａと拡散部材１８の庇対向部２２との間の間隔Ｄによって形成される空間が、内側に向かって広角に開いた形状となるため、複数の光源１２から出射された光を拡散部材１８の庇対向部２２に導き易くなる。これによって、拡散部材１８の庇対向部２２の明るさを向上させることが可能となる。
【００５０】
図４に示す照明装置４０は、第２フレーム４５の庇部４７の前方面４７ａが、庇部４７の内側よりも外側の方が後方に位置するように、前後方向に傾斜する傾斜部を有している点で、照明装置１０と相違する。図示の例では、前方面４７ａの全体が、前後方向に傾斜する傾斜面として構成され、この傾斜面により上記傾斜部が構成されている。
【００５１】
照明装置４０では、上記構成により、庇部４７の前方面４７ａと拡散部材１８の庇対向部２２との間の広い範囲（好ましくは、全体）にわたって、比較的大きな間隔Ｄを保持することができる。そして、本発明者等の検討により、このように間隔Ｄを大きくする（いいかれば、間隔Dによって形成される空間を広くする）ことにより、拡散部材１８の庇対向部２２の明るさが向上することが判明しており、照明装置４０は、この点で有利なものである。
また、照明装置４０によれば、拡散部材１８の固定部１９が第２フレーム４５に固定される位置が後方に下がることにより、照明装置の厚さ（前後方向の長さ）を小さくすることが可能である。照明装置４０のこの特徴は、例えば図３に示す照明装置３０と比較して、より薄型化に適した構成によって、拡散部材１８の庇対向部２２の明るさを向上させることができる点で、有利なものである。
【００５２】
図５に示す照明装置５０は、拡散部材５８の固定部５９を、第２フレーム１５に対して所定の距離Ｌだけ前方に突き出して配置するように、固定部５９の長さを大きくした点で、照明装置１０と相違する。
【００５３】
照明装置５０の上記構成は、図４に示す照明装置４０と比較して、照明装置５０の厚さは増大するものの、庇部１７の前方面１７ａと拡散部材５８の庇対向部５２との間の広い範囲（好ましくは、全体）にわたって、比較的大きな間隔Ｄを保持し、拡散部材５８の庇対向部５２の明るさを向上させることができる点で、照明装置４０と同様の効果を奏する。
【００５４】
図６に示す照明装置６０は、複数の光源１２を、第２フレーム１５の円筒部１６の内周面１６Ｃに複数の光源１２を配置した点で、照明装置１０と相違する。さらに、図示の例では、複数の光源１２は、それぞれの光軸が中心軸Ｃと略直交するように、出射面１２ａを内側に向けて配置されている。
【００５５】
照明装置６０によれば、複数の光源１２から出射した光のうち、拡散部材１８の庇対向部２２に進行する光が増大するため、拡散部材１８の庇対向部２２の明るさを向上させることができる。この場合、拡散部材１８の庇対向部２２に進行する光をより増大させるため、複数の光源１２は、それぞれの光軸が中心軸Ｃに直交する方向に対して前方に傾くように配置されるものであってもよい。また、このように、複数の光源１２を第２フレーム１５に配置する場合には、第２フレーム１５をアルミダイカストで成形し、第１フレーム１４を白色樹脂で成形するものであってもよい。さらに、複数の光源１２を第２フレーム１５に配置することにより、複数の光源１２から出射される光のうち、直接第１フレーム１４の第１反射面１４ｂに入射する光に対して、庇部１７の後方面１７ｅに入射する光の割合が低下した場合には、庇部１７の後方面１７ｅに、特に第２反射面１７ｅを設けなくともよい。
【００５６】
図７に示す照明装置７０は、第２フレーム７５の庇部７７の前方面７７ａに溝７３が設けられており、拡散部材７８は、その固定部７９を溝７３に嵌入することにより第２フレーム７５に固定される点で、照明装置１０と相違する。
【００５７】
照明装置７０では、第２フレーム７５の庇部７７の前方面７７ａのうち、溝７３よりも外側の部分に非発光面（額縁）が形成されるものの、庇部７７の前方面７７ａのうち溝７３よりも内側の部分は、拡散部材７８の庇対向部７２で覆われることから、照明装置の前方面に対して、開口対向部７１及び庇対向部７２で構成される広い発光面を確保することが可能となるとともに、発光面の周囲の額縁が狭い、装飾性に優れた照明装置を提供することが可能となる。
【００５８】
図８に示す照明装置８０は、第２フレーム１５の開口部１１に配光制御部材（例えば、拡散板）８２を配置した点で、照明装置１０と相違する。照明装置８０によれば、拡散部材１８全体の明るさをより精密に制御することが可能となる。
また、照明装置８０において、配光制御部材８２及び拡散部材１８は、それぞれ脱着可能に構成されることが好ましく、それによって、配光制御部材８２及び拡散部材１８のいずれか一方または両方を選択的に使用して、照明装置に要求される仕様に対して１台の照明装置により柔軟に対応することが可能になる。
【００５９】
そして、本実施形態における照明装置は、図９に示す照明装置９０のように、第１フレーム９４を、複数の光源１２が実装される実装基板９１上に、前方に膨らんだドーム状に設けるものであってもよい。また、拡散部材１００は、その開口対向部１０１を平板状に構成する（拡散板１００全体としては、有底筒状に構成する）ものであってもよい。また、第２フレーム９５の庇部９７の前方面９７ａが、傾斜面として構成されている場合、拡散部材１００の庇対向部１０２は、前方面９７ａの傾斜に従って傾斜するように構成されるものであってもよい。また、第２フレーム９５と拡散部材１００とは、拡散部材１００の固定部９９内に第２フレーム９５を嵌入することによって、互いに固定されるものであってもよい。
【００６０】
ここで、本実施形態における照明装置は、各照明装置１０、３０、４０、５０、６０、７０、８０、９０に関連して個別に説明されたそれぞれの特徴を、技術的に可能である限り、適宜組み合わせて備えるものであってもよい。さらに、上記の説明では、各照明装置１０、３０、４０、５０、６０、７０、８０、９０は、平面視円形状の発光面を備えるものとしたが、本実施形態における照明装置は、任意の多角形状の発光面を備えるものであってもよい。この場合、上記の説明において、円形状、及び円環状として記載された各構成要素の特徴は、適宜それぞれの多角形に従う形状に構成される。また、このような多角形は、好ましくは、光軸Ｃを含む所定の仮想平面を対称面として面対称な形状を備えるものである。
【００６１】
また、特に、本実施形態における照明装置（例えば、照明装置１０）が、矩形状の発光面を備える場合、複数の光源１２は、互いに平行に対向する２列に配置されているものであってもよい。すなわち、図１を、矩形状の発光面を備える照明装置の断面図として見た場合、複数の光源１２は、矩形状の発光面の対向する２辺（言い換えれば、矩形状の開口部１１の対向する２辺）の両辺側、すなわち、中心軸Cの一方の側（例えば、図上左側）に、紙面に直交する方向に１列に配置された複数の光源１２と、中心軸Cの他方の側（例えば、図上右側）に、紙面に直交する方向に１列に配置された複数の光源１２とからなるものである。
【００６２】
また、この場合、複数の光源１２を必ずしも一方の側と他方の側とで対称に構成する必要はなく、例えば、一方の側の複数の光源１２を、（例えば、第１フレーム１４に）出射面１２ａを前方に向けて配置し、他方の側の複数の光源１２を、（例えば、第２フレーム１５に）出射面１２ａを内側に向けて配置するものであってもよい。
【００６３】
また、照明装置１０が矩形状の発光面を有する場合、第１フレーム１４及び第２フレーム１５を、例えば押し出し成形によって一体に形成するものであってもよい。
以上、矩形状の発光面を備える照明装置について、照明装置１０を例として説明した特徴は、本実施形態における他の照明装置３０、４０、５０、６０、７０、８０、９０及び、照明装置１０、３０、４０、５０、６０、７０、８０、９０の特徴を適宜組み合わせて備える照明装置についても同様である。
【００６４】
尚、図８に示す照明装置８０が、矩形状の発光面を有している場合、配光制御部材８２及び拡散部材１８は、それぞれ配光制御部材８２が嵌合される溝部８３及び拡散部材１８の固定部１９が嵌合される段部１３に対して、スライド方式で取付けられるように構成されることが好ましく、これによって、配光制御部材８２及び拡散部材１８を容易に脱着することが可能となる。
【００６５】
次に、図１０を参照して、本発明の第２実施形態における照明装置１１０について説明する。但し、以下の説明では、第１実施形態における照明装置（例えば、照明装置１０）と共通の特徴については適宜説明を省略し、主として第１実施形態における照明装置との相違点について説明する。
【００６６】
照明装置１１０は、矩形状の発光面を有する照明装置の一形態であり、但し、例えば照明装置１０が矩形状の発光面を有する場合の構成に対して、矩形状の開口部１１１の一辺側にのみ光源１２が配置されている点を、その基本的な相違とするものである。
すなわち、照明装置１１０では、第１フレーム１１４が有する第１反射面１１４ｂは、光源１２の側方に配置されている。また、このような構成上、照明装置１１０は、１灯以上の光源１２を有するものであればよいが、好ましくは、複数の光源１２を有しており、これらの複数の光源１２が、図１０上紙面に直交する方向に、直線状に配置されているものである。
そして、光源１２の前方側を覆う庇部１１７を有する第２フレーム１１５を備えており、庇部１１７の前方面１１７ａ側に、この前方面１１７ａの少なくとも一部との間に間隔を置くようにして拡散部材１１８が配置されていることは、第１実施形態における照明装置（例えば、照明装置１０）と同様であり、これによって、照明装置１０と同様の作用効果を奏するものである。
【００６７】
さらに、照明装置１１０において、複数の光源１２は、第２フレーム１１５に、その出射面１２ａが、（照明装置１１０全体における）複数の光源１２が配置されている側とは反対側を向くように配置されている。そして、照明装置１０において、第１反射面１１４ｂは、複数の光源１２の直上近傍から延びるにしたがって前方に向かうように湾曲して形成されており、図１０に示す断面形状は、放物線をなすものである。
【００６８】
このように構成された照明装置１１０は、例えば、商品等の陳列棚の棚板の下面の手前側（または奥側）に取り付けることにより、一段下側の棚板上の全体を均一に照明する、いわゆる棚下照明装置として好適に適用されるものである。
【００６９】
本実施形態における照明装置１１０に対しても、第１実施形態に関連して図３〜図９を参照して説明した照明装置が備えるそれぞれの特徴を、個別にまたは適宜組み合わせて適用することができる。また、第１実施形態に関連して、矩形状の発光領域を有する場合の特徴として説明した各事項も、技術的に可能である限り、適用することができる。
【符号の説明】
【００７０】
１０，３０，４０，５０，６０，７０，８０，９０，１００，１１０：照明装置、
１２：光源、１４，９４，１１４：第１フレーム、１４ｂ，９４ｂ，１１４ｂ：第１反射面、１５，３５，４５，７５，８５，９５，１１５：第２フレーム、１７，３７，４７，７７，８７，９７，１１７：庇部、１８，５８，７８，１００，１１８：拡散部材
【図１】
2016062838.tif 000003
【図２】
2016062838.tif 000004
【図３】
2016062838.tif 000005
【図４】
2016062838.tif 000006
【図５】
2016062838.tif 000007
【図６】
2016062838.tif 000008
【図７】
2016062838.tif 000009
【図８】
2016062838.tif 000010
【図９】
2016062838.tif 000011
【図１０】
2016062838.tif 000012